(57)【要約】【課題】公衆電話回線およびＬＡＮ双方に接続可能な通信装置において、特別な操作を行うことなく、予め登録された電話番号に対する発呼を公衆電話回線に対して行う。【解決手段】電話機を、公衆電話回線とパケット形式通信部のいずれか一方に選択接続する回線切り替えスイッチ部と、電話機から送出される回線選択信号を監視する接続先モニター部と、公衆電話回線に接続すべき相手先電話番号を記憶する記憶部とを備え、電話機から送出された回線選択信号が示す電話番号が、記憶部に記憶された電話番号と一致することを条件に、公衆電話回線に発呼し、電話機を公衆電話回線に接続する。【選択図】        図１
2004336348.tif 000002
【特許請求の範囲】
【請求項１】
電話機（１０）から入力される音声信号を音声パケットに変換してパケット形式ネットワークに送出すると共に、前記パケット形式ネットワークから受信した音声パケットを音声信号に変換して電話機（１０）に出力するパケット形式通信部（１１）と、電話機（１０）を公衆電話回線とパケット形式通信部のいずれか一方に選択接続する回線切り替えスイッチ部（２）と、電話機（１０）から送出される回線選択信号を監視する接続先モニター部（５）（６）と、公衆電話回線に接続すべき相手先電話番号を記憶する記憶部（１２）と、公衆電話回線に発呼する発呼手段とを備え、電話機（１０）から送出された回線選択信号が示す電話番号が、記憶部（１２）に記憶された電話番号と一致することを条件に公衆電話回線に発呼し、電話機（１０）を公衆電話回線に接続することを特徴とする回線接続切り替え装置。
【請求項２】
記憶部（１２）に記憶された電話番号が１００番通話を示す電話番号であることを特徴とする請求項１記載の回線接続切り替え装置。
【発明の詳細な説明】
【０００１】
【発明の属する技術分野】
公衆電話回線およびＬＡＮ（含インターネット）双方に接続可能な通信装置、ならびに回線接続切り替え装置に関するものである。
【０００２】
【従来の技術】
従来の、公衆電話回線およびＬＡＮ双方に接続可能な電話装置における、これらの接続の切り替えには、
・操作者が手動で切り替える、
・回線状態により自動的に切り替える（たとえば特開平１０−０３５９２７号公報）、
・あらかじめ登録済みの電話番号に対してはＬＡＮに接続する、
方法が知られている。
【０００３】
【特許文献１】
特開平１０−０３５９２７号公報
【０００４】
【発明が解決しようとする課題】
従来の方法では、緊急時の電話である１１０番や、発信電話番号に対して即時に課金が行われる１０４番、等、公衆電話回線を指定して発呼を行うべき電話番号に対して公衆電話回線に接続を切り替えるには、
・操作者が手動で切り替えるのは操作が煩わしい、
・回線状態により自動的に切り替える方法では、回線を指定できない、
等の課題がある。
【０００５】
また、電話機をケーブルテレビ網やＤＳＬ網にＬＡＮ接続し、インターネット電話から公衆電話回線に転送するサービスを利用して、常にＬＡＮ経由で電話を使用する場合は、
・あらかじめ登録済みの電話番号に対してはＬＡＮに接続する方法では登録データが膨大な量になってしまう、
という課題がある。
【０００６】
本発明の目的は、特別な操作を行うことなく、予め登録された電話番号に対する接続を公衆電話回線に対して行い、簡単、迅速に接続の切り替えを行えるようにした通信装置、ならびに回線接続切り替え装置を提供することにある。
【０００７】
【課題を解決するための手段】
上記目的を達成するため、電話機を、公衆電話回線とパケット形式通信部のいずれか一方に選択接続する回線切り替えスイッチ部と、電話機から送出される回線選択信号を監視する接続先モニター部と、公衆電話回線に接続すべき電話番号を記憶する記憶部とを備え、少なくとも、電話機から送出された回線選択信号が示す電話番号が、記憶部に記憶された電話番号と一致することを条件に、公衆電話回線に発呼し、電話機を公衆電話回線に接続することを特徴とする。
【０００８】
【発明の実施の形態】
本発明の第一実施の形態に係る回線接続切り替え装置１を、図１ないし図２で説明する。
【０００９】
図１は、アナログ回線に接続された電話機１０の接続を切り替える回線接続切り替え装置１の構成を示すブロック図である。
【００１０】
同図に示すように、この回線接続切り替え装置１は、公衆電話回線と電話機１０との間に取り付けられるもので、公衆電話回線と電話機１０との間には、リレーなどで構成された回線切り替えスイッチ２が備えられている。
【００１１】
回線切り替えスイッチ２は、電話機１０の回線１０ａを、公衆電話回線と、アナログ回線端末側インタフェース制御部３のいずれかに接続するものであり、この接続切り替えは、後述するプロセッサ部９によって制御される。
【００１２】
電話機１０が公衆電話回線に接続されているときには、従来と同様の電話機１０の操作で、公衆電話回線を介した通話が可能となり、一方、電話機１０が公衆電話回線から切り離され、パケット形式通信部の一部であるアナログ回線端末側インタフェース制御部３に接続するときには、電話機１０でパケット形式ネットワークを介した通話が可能となる。
【００１３】
パケット形式ネットワークは、データをパケットとして送受信するものであれば、ＬＡＮ、インターネット回線網等いずれのものであってもよい。
【００１４】
回線接続切り替え装置１に電源が入っていないときには、回線切り替えスイッチ２により電話機１０は公衆電話回線に接続されており、一般的な電話として使用できる。
【００１５】
アナログ回線端末側インタフェース制御部３は、ＲＩＮＧ信号を電話機１０へ出力するＲＩＮＧ発生回路と、電話機１０へ給電を行うＳＬＩＣ（Ｓｕｂｓｃｒｉｂｅｒ  Ｌｉｎｅ  Ｉｎｔｅｒｆａｃｅ  Ｃｉｒｃｕｉｔ）を備え、公衆電話回線の交換機と同様に動作させることによって、電話機１０がパケット形式通信部側に接続しているときにも、公衆電話回線に接続した状態と同じ状態となるようにしている。
【００１６】
また、公衆電話回線には、アナログ回線網側インタフェース制御部４がハイインピーダンスの状態で常時接続されている。このアナログ回線網側インタフェース制御部４は、ＮＣＵ（網制御装置）を備え、公衆電話回線の端末インタフェースとして作用するとともに、電話機１０から出力される回線選択信号であるＤＴＭＦ信号を取り込むものである。公衆電話回線から取り込まれるＤＴＭＦ信号は、このアナログ回線網側インタフェース制御部４から音声処理部５へ出力される。
【００１７】
電流・ＲＩＮＧ検出回路６は、電話機１０と回線切り替えスイッチ２の間の公衆電話回線１０ａに流れる電流を検出するもので、これによって回線状況を監視し、電話機１０のオンフック、オフフック状態を監視したり、電話機１０から出力される回線選択信号としてダイヤルパルス信号や、交換機から出力されるＲＩＮＧ信号を検出する。電流・ＲＩＮＧ検出回路６は、これらの検出結果をプロセッサ部９に出力する。
【００１８】
アナログ回線端末側インタフェース制御部３とアナログ回線網側インタフェース制御部４のパケット形式ネットワーク側には、網／端末切り替えスイッチ７が接続され、プロセッサ部９の制御で動作する網／端末切り替えスイッチ７により、いずれか一方が選択的に音声処理部５と接続される。
【００１９】
音声処理部５は、ＤＴＭＦ信号判別回路と、アナログ音声信号とデジタル音声信号とを相互に変換するＡＤ／ＤＡ変換器と、ダイヤルトーン、リングバックトーンを擬似的に出力する音声信号発生回路と、を備え、網／端末切り替えスイッチ７と、プロセッサ部９などが接続されている内部バス８の間に接続されている。
【００２０】
図１に示すように、内部バス８には、この他にパケット処理部１１、プロセッサ部９、記憶部１２、が接続されている。
【００２１】
パケット処理部１１は、パケット形式通信部の一部を構成し、パケットを組み立て、分解する機能を有している。例えば、音声処理部５から出力された音声信号は、音声パケットとしてパケット形式ネットワークへ送出され、パケット形式ネットワークから受けた音声パケットは、音声信号として音声処理部５へ送出される。
【００２２】
記憶部１２には、公衆電話回線を介した通話を行うための相手先電話番号が工場出荷時に予め記憶されている。
【００２３】
プロセッサ部９は、上述の各回路とスイッチ類の動作を制御するもので、以下、プロセッサ部１１で制御される回線接続切り替え装置１の動作を、図２にしたがって詳述する。
【００２４】
電源が投入され通信が行われていない時、既定状態として、スイッチ２、スイッチ７共に、回線端末側インタフェース制御部３に接続されている。
【００２５】
ステップＳ１において、電話機１０がオフフックされ、入力される回線選択信号が、ＤＴＭＦ信号である場合には、端末側インタフェース制御部３、音声処理部５を介し、プロセッサ部９において電話番号として検出される。また、ダイヤルパルス信号である場合には、電流・ＲＩＮＧ検出回路６を介し、プロセッサ部９において電話番号として検出される。
【００２６】
ステップＳ２において、プロセッサ部９で検出された電話番号が、記憶部１２で記憶されている電話番号と一致するか否かを判別し、一致する場合は、ステップＳ３に進み、一致しない場合はステップＳ７に進む。
【００２７】
ステップＳ３において、スイッチ７を網側インタフェース制御部４に接続し、また、音声処理部５と網側インタフェース制御部４とによって、電話機１０から入力された電話番号と同一の電話番号を生成し、公衆電話回線に発呼する。これにより電話機１０から直接公衆電話回線に発呼するのと同じ状態となる。
【００２８】
ステップＳ４において、発呼が完了し、電流・ＲＩＮＧ検出回路６により、電話が繋がった状態を検出すると、スイッチ２を網側インタフェース制御部４に接続する。これにより電話機１０を直接公衆電話回線に接続した状態になる。
【００２９】
ステップＳ５において、電話機１０を使って、公衆電話回線を介し一般の電話として通話を行う。
【００３０】
ステップＳ６において、通話が終了し、電流・ＲＩＮＧ検出回路６によってオンフックが検出されたときは、スイッチ２、スイッチ７共に、端末側インタフェース制御部３に接続し、既定状態に戻す。
【００３１】
ステップＳ７において、音声処理部５による音声信号のＡＤ／ＤＡ変換処理、パケット処理部１１によるパケット変換処理が行われ、パケット形式ネットワークを介し、通信を行う。
【００３２】
また、上記実施例では、記憶部１２に記憶されている電話番号を工場出荷時に予め設定されているものとしたが、図１の構成で、予め決められた操作によって、電話機１０より、記憶部１２に記憶する電話番号の入力・修正・削除等を行うことも可能である。
【００３３】
図３は、本発明に係る回線接続切り替え装置１を、ＤＳＬ（デジタル加入者回線）に接続する場合の接続図である。
【００３４】
本装置１の公衆電話回線接続部とスプリッタの電話機接続部とを接続し、パケット処理部１１をＤＳＬモデムに接続することにより、電話機１０を使用し、特別な操作を行うことなく、予め登録された電話番号に対して、従来の電話として接続することが可能となる。
【００３５】
【発明の効果】
以上説明したように、本発明によれば、公衆電話回線およびＬＡＮ双方に接続可能な通信装置において、従来の電話機を用い、特別な操作を行うことなく、１００番通話等、公衆電話回線を指定して発呼を行うべき電話番号に対して公衆電話回線に接続することができる。
【図面の簡単な説明】
【図１】本発明の実施形態に係る回線接続切り替え装置１の構成を示すブロック図。
【図２】回線接続切り替え装置１の動作を示すフローチャート。
【図３】回線接続切り替え装置１をＤＳＬに接続する場合の接続図。
【符号の説明】
１  回線接続切り替え装置
２  回線切り替えスイッチ
３  アナログ回線端末側インタフェース制御部
４  アナログ回線網側インタフェース制御部
５  音声処理部
６  電流・ＲＩＮＧ検出回路
７  網／端末切り替えスイッチ
８  内部バス
９  プロセッサ部
１０  電話機
１１  パケット処理部
１２  記憶部
【図１】
2004336348.tif 000003
【図２】
2004336348.tif 000004
【図３】
2004336348.tif 000005